(57)【要約】  【課題】使用時に第１の薬液と第２の薬液とを混合するときに、確実に混合することができ、しかも混合するため容器を押圧するような動作が不要な、取り扱いやすい複室容器及び採液器具が望まれている。  【解決手段】複室容器１の口栓４に挿入するための中空針６と、当該中空針６の基部に接続されるチューブ８とを備え、前記中空針６には、当該中空針６を前記口栓４に挿入して、前記口栓４の内部に設けられた複室どうしを隔てる分離膜９１を破った状態で、前記複室容器のいずれかの室Ｓ１につながる第１の孔６１と、前記複室容器の他の室Ｓ２につながる第２の孔６２とが形成されている。【選択図】        図３
2007054186.tif 000002
【特許請求の範囲】
【請求項１】
互いに隔壁で分離された第１の薬液収容室及び第２の薬液収容室と、
第１の薬液収容室及び第２の薬液収容室に連通する口栓とを備え、
前記口栓の内部には、第１の薬液収容室につながる第１の室と、第２の薬液収容室につながる第２の室と、第１，第２の室どうしを隔てる分離膜と、第１の室又は第２の室を外部と隔てる外膜とが設けられ、
前記分離膜は、前記外膜を通して挿入される中空針によって貫通可能な部位に配置されていることを特徴とする複室容器。
【請求項２】
複室容器の口栓に挿入するための中空針と、当該中空針の基部に接続されるチューブとを備え、  
前記中空針には、当該中空針を前記口栓に挿入して、前記口栓の内部に設けられた複室どうしを隔てる分離膜を破った状態で、前記複室容器のいずれかの室につながる第１の孔と、前記複室容器の他の室につながる第２の孔とが形成されていることを特徴とする採液器具。
【請求項３】
前記中空針には、中空針の直径よりも大きな直径を有し、複室容器から導出された複数種類の液体を混合するための混合室が形成されている請求項２記載の採液器具。
【請求項４】
前記中空針と前記チューブとの間、又は前記チューブには、複室容器から導出された複数種類の液体を混合するための混合室が配置されている請求項２記載の採液器具。
【発明の詳細な説明】
【技術分野】
【０００１】
本発明は、周縁部及び隔離部で区画された複数の薬液収容室を有する複室容器及び、当該複室容器から各薬液収容室に収容された液体を取り出す採液器具に関するものである。
【背景技術】
【０００２】
人体等に供給される２種類以上の第１の薬液・第２の薬液を、混合変化を避けるために、隔離部により分離して容器に保存し、投与直前に容器を押圧して隔離部による分離を解除し、中空針で口栓を挿通して、第１の薬液、第２の薬液を混合して供給できる複室容器が知られている。
【特許文献１】特開2004-3444４２号公報
【特許文献２】特開2005-28036号公報
【特許文献３】実開平6-41734号公報
【特許文献４】実開昭57-117351号公報
【発明の開示】
【発明が解決しようとする課題】
【０００３】
このような複室容器を使用する場合、隔離部の解除を忘れて中空針で口栓を挿通すれば、口栓と直接連通する第１の薬液収容室の第１の薬液のみが投与されてしまうという医療事故を引き起こす可能性がある。
そこで、使用時に第１の薬液と第２の薬液とを混合するときに、確実に混合することができ、しかも混合するための容器を押圧するような動作が不要な、取り扱いやすい複室容器が望まれている。
【０００４】
本発明は、使用前の必然的な操作のみで、第１の薬液と第２の薬液との混合が行える複室容器を提供することを目的とする。
【課題を解決するための手段】
【０００５】
本発明の複室容器は、互いに隔壁で分離された第１の薬液収容室及び第２の薬液収容室と、第１の薬液収容室及び第２の薬液収容室に連通する口栓とを備え、前記口栓の内部には、第１の薬液収容室につながる第１の室と、第２の薬液収容室につながる第２の室と、第１，第２の室どうしを隔てる分離膜と、第１の室又は第２の室を外部と隔てる外膜とが設けられ、前記分離膜は、前記外膜を通して挿入される中空針によって貫通可能な部位に配置されているものである。
【０００６】
この構造の複室容器では、中空針を、前記外膜を通して複室容器に挿入すると、（１）中空針の先端が第１の室に入り，中空針の中央部が第２の室に入る状態、又は（２）中空針の先端が第２の室に入り，中空針の中央部が第１の室に入る状態、が実現される。したがって、中空針の先端と中央部にそれぞれ孔を設けておけば、第１の薬液収容室及び第２の薬液収容室に入った液体を混合して、中空針から取り出すことができる。
【０００７】
本発明の採液器具は、複室容器の口栓に挿入するための中空針と、当該中空針の基部に接続されるチューブとを備え、前記中空針には、当該中空針を前記口栓に挿入して、前記口栓の内部に設けられた複室どうしを隔てる分離膜を破った状態で、前記複室容器のいずれかの室につながる第１の孔と、前記複室容器の他の室につながる第２の孔とが形成されているものである。
【０００８】
この構造の採液器具であれば、複室容器の口栓に挿入するだけの単純な操作で、前記複室容器の両室に収容されている液体を中空針に形成された各孔からチューブに導入することができる。
前記中空針には、中空針の直径よりも大きな直径を有し、複室容器から導出された複数種類の液体を混合するための混合室が形成されていてもよい。この混合室を利用すれば、複数種類の液体を効率よく混合することができる。また、混合室の直径が中空針の直径よりも大きなため、この中空針を口栓に挿入するときの挿入深さを規定することができる。
【０００９】
前記中空針と前記チューブとの間、又は前記チューブに、混合室を配置しても良い。
【発明の効果】
【００１０】
以上のように、本発明によれば、使用者は、中空針を口栓に差し込むという複室容器の使用時に必ず行う操作だけで、二種類の液体を確実に合流させて、混合された状態でチューブに供給することができる。したがって、隔離部の解除といった力を要する操作は必要なく、隔離部の解除忘れといった事故も防ぐことができる。
【発明を実施するための最良の形態】
【００１１】
以下、本発明の実施の形態を、添付図面を参照しながら詳細に説明する。
図１は、本発明の複室容器としての二室式バッグ１の概略正面図である。
この二室式バッグ１は、医療用として許可されたプラスチック（ポリマー、エラストマーを含む）のフィルムを２枚重ねて融着することにより形成され、第１の薬液収容室Ｓ１と、第２の薬液収容室Ｓ２と、両室を取り囲む周縁部３とを有している。両室の間には、周縁部３の延長である隔離部３１が存在している。
【００１２】
前記二室式バッグ１を形成するプラスチックとしては、特にポリエチレン、ポリプロピレン等のポリオレフィンが、優れた成形性を有しており、かつ安全性が確立していることから好適に用いられる。
二室式バッグ１の周縁部３及び隔離部３１は、例えばヒートシールバーによる熱融着によって形成される。
【００１３】
本発明では、隔離部３１を破って第１の薬液と第２の薬液とをあらかじめ混合することを想定しているが、隔離部３１が破れなかった場合、あるいは隔離部３１を破ることを忘れた場合でも、第１の薬液と第２の薬液とを混合することができるという効果がある。
また、隔離部３１を破ることを想定しない場合は、本発明の構造により、第１の薬液と第２の薬液とを混合することができる。隔離部３１を破ることを想定しない場合は、隔離部３１を周縁部３よりも弱く形成する必要はなく、周縁部３と同等の強度で形成すればよい。したがって、周縁部３及び隔離部３１を同時に形成することができ、二室式バッグ１の製造工程が複雑になることはない。
【００１４】
前記第１の薬液収容室Ｓ１、第２の薬液収容室Ｓ２には、それぞれ液状の物質（薬液）が収容される。
さらに、第１の薬液収容室Ｓ１を取り囲む周縁部３の一部には、前記第１の薬液収容室Ｓ１の中に挿入される円筒状の口栓４が融着により取り付けられている。
また、第２の薬液収容室Ｓ２を取り囲む周縁部３の一部には、前記第２の薬液収容室Ｓ２の中に挿入される可撓性、円筒状の中空管５が融着により取り付けられている。
【００１５】
口栓４や中空管５は、ポリエチレンなどの材料で形成されている。
第２の薬液収容室Ｓ２に入っている液体は、この中空管５を通して、口栓４の内部に流入可能になっている。
図２は、本発明の採液器具２を構成する中空針６の断面図である。
この中空針６は、前記二室式バッグ１の口栓４に挿入されるものであり、金属又はセラミックなどの硬い材質で形成されている。その先端は鋭利に加工されている。Ｃは保護キャップを示す。
【００１６】
この中空針６の表面の、比較的先端部には第１の孔６１が形成され、比較的中央部には第２の孔６２が形成されている。第１の孔６１、第２の孔６２は、ともに中空針６内部の中空部６３に連通している。
なお、当該中空針６の基部には、当該中空針６を口栓４に差し込んだときに挿入深さを規定するためのストッパ部材７が設けられている。ストッパ部材７は、ゴムのような材質でできている。また、当該中空針６の基端には、チューブ８が接続されている。
【００１７】
図３は、中空針６を口栓４に差し込んだ状態を示す断面図である。
口栓４の内部には、第１の薬液収容室Ｓ１につながる第１の室４１と、中空管につながる第２の室４２とが形成されている。そして、第１，第２の室４１，４２どうしを隔てる分離膜９１と、第２の室４２を外部と隔てる外膜９２とが設けられている。
第１の室４１は第１の薬液収容室Ｓ１につながっているので、第１の薬液で満たされる。第２の室４２は第２の薬液収容室Ｓ２につながっているので、第２の薬液で満たされる。第１，第２の室どうしは、未使用時、分離膜９１で隔てられているので、第１の薬液と第２の薬液が混ざり合うことはない。
【００１８】
分離膜９１と外膜９２とは、ともに中空針６で破ることが可能なように、ポリエチレンやポリプロピレンのような材質で形成されている。
分離膜９１は、中空針６を口栓４の奥まで差し込むと、挿入された中空針６の先端が分離膜９１を貫通するような位置に設けられている。しかし、中空針６の比較的中央部に形成された第２の孔６２は、分離膜９１を通過することはない。
【００１９】
以上の構造の二室式バッグ１の使用方法を説明する。
使用者は、二室式バッグ１の口栓４の外膜９２に、採液器具２の中空針６を差し込む。差し込む深さは、ストッパ部材７が口栓４の前面に当接するまでである。
図３に示されるように、中空針６で外膜９２を破り、ストッパ部材７を口栓４の前面に当接するまで差し込むと、中空針６の先端が分離膜９１を貫通する。そして、中空針６の第１の孔６１が第１の室４１に入る。第２の孔６２は、分離膜９１まで届かず、第２の室４２に留まる。
【００２０】
中空針６を挿入した状態で、第１の孔６１は第１の室４１に連通して、第１の薬液が第１の孔６１を通して中空針６の中空部６３に流れ込む。第２の孔６２は第２の室４２に連通して第２の薬液が第２の孔６２を通して中空部６３に流れ込む。
中空部６３に流れ込んだ両液は、中空部６３内及びチューブ８内で混合する。チューブ８から出てくるときには、混ざり合った状態となる。
【００２１】
このように、使用者は、中空針６を口栓４の所定位置に差し込むという、二室式バッグ１の使用時に必ず行う操作だけで、第１の薬液と第２の薬液とを確実に合流させて、混合された状態でチューブ８に供給することができる。したがって隔離部３１の解除忘れといった事故も防ぐことができる。
以上で、本発明の実施の形態を説明したが、本発明の実施は、前記の形態に限定されるものではない。
【００２２】
例えば、中空針６の中空部６３に流れ込んだ両液を十分に混合するために、採液器具２の中空針６の途中、中空針６とチューブ８との間、又はチューブ８の途中に、混合室を設けてもよい。
図４は、中空針６の中空部６３を拡張して混合室７１を形成した例を示す断面図である。
【００２３】
この混合室７１の内部で、中空針６から流れ込む両液が均一になるまで混合することができる。また、この混合室７１は、その断面が広がっているため、当該中空針６を口栓４に差し込んだときに差し込む深さを規定するストッパ部材７の機能も発揮することができる。
図５は、中空針６の他の内部構造を示す断面図である。図５（ａ）は、中空針６の肉厚が厚く、中空部６３の内径が小さくなっている実施例を示す。
【００２４】
図５（ｂ）では、中空針６の中に２本の中空部６３が形成され、第１の孔６１と第２の孔６２とがそれぞれ、２本の中空部６３に連通している。従ってこの構造では、第１の薬液と第２の薬液とは、少なくとも中空針６の中では混合されることはない。２本の中空部６３に、それぞれ独立にチューブ８を接続すれば、第１の薬液と第２の薬液とを別々に取り出すことも可能になる。
【００２５】
図６は、口栓４の他の構造を示す断面図である。
この口栓４ａは、第１の薬液収容室Ｓ１につながれているとともに、中空管５１を通して、第２の薬液収容室Ｓ２にもつながっている。
中空管５１は、図１に示したような細長い可撓性の管でなく、口栓４ａに直接嵌め込まれた太く短い管であるところが異なっている。
【００２６】
口栓４ａの内部には、第１の薬液収容室Ｓ１につながる第１の室４１と、中空管５１につながる第２の室４２とが形成されているのは、図１の構造と同様である。そして、第１，第２の室４２どうしを隔てる分離膜９１と、第２の室４２を外部と隔てる外膜９２とが設けられている。外膜９２は、第１の室４１が第１の薬液収容室Ｓ１につながる部位の下に配置されている。中空針６を、外膜９２を通して口栓４ａの奥まで差し込むと、挿入された中空針６の先端が分離膜９１を貫通し、第１の室４１に通ずるので、第１の薬液を中空針６に導くことができる。また、中空針６は、第２の室４２も通っているので、第２の薬液を中空針６に導いて、両液を混合することができる。
【００２７】
図７は、口栓４のさらに他の構造を示す断面図である。この口栓４ｂと図１や図６に示した口栓４，４ａとの違いは、外膜９１が、第１の薬液収容室Ｓ１につながる第１の室４１に、対面していることである（図１の口栓では外膜９１が、第１の薬液収容室Ｓ２につながる第２の室４２に対面していた）。
このような口栓４ｂの構造であれば、中空針６先端の第１の孔６１が第２の室４２に入り、中空針６の中央の第２の孔６２は、分離膜９１まで届かず、第１の室４１に留まる。
【００２８】
第２の薬液が第１の孔６１を通して中空針６の中空部６３に流れ込み、第１の薬液が第２の孔６２を通して中空部６３に流れ込むので、中空部６３に流れ込んだ両液が中空部６３内及びチューブ８内で混合されるという点では、図１や図６の構造と同じ作用効果を奏する。
【図面の簡単な説明】
【００２９】
【図１】本発明の二室式バッグ１の概略正面図である。
【図２】中空針６を含む本発明の採液器具２の要部を示す断面図である。
【図３】中空針６を二室式バッグ１の口栓４に差し込んだ状態を示す要部断面図である。
【図４】混合室７１を一体に形成した中空針６ａの例を示す断面図である。
【図５】中空針の他の内部構造を示す断面図である。（ａ）は、中空針６ｂの肉厚が厚く、中空部６３の内径が小さくなっている例を示す。（ｂ）は、中空針６ｃの中に２本の中空部６３ａ，６３ｂが形成され、第１の孔６１と第２の孔６２とがそれぞれ、２本の中空部６３ａ，６３ｂに連通している例を示す。
【図６】本発明の変形例に係る口栓４ａの構造を示す断面図である。
【図７】本発明の変形例に係る口栓４ｂの構造を示す断面図である。
【符号の説明】
【００３０】
１  二室式バッグ
２  採液器具
３  周縁部
３１  隔離部
４，４ａ，４ｂ  口栓
４１  第１の室
４２  第２の室
５，５１  中空管
６，６ａ，６ｂ，６ｃ  中空針
６１  第１の孔
６２  第２の孔
６３，６３ａ，６３ｂ  中空部
７  ストッパ部材
７１  混合室
８  チューブ
９１  分離膜
９２  外膜
Ｓ１  第１の薬液収容室
Ｓ２  第２の薬液収容室
【図１】
2007054186.tif 000003
【図２】
2007054186.tif 000004
【図３】
2007054186.tif 000005
【図４】
2007054186.tif 000006
【図５】
2007054186.tif 000007
【図６】
2007054186.tif 000008
【図７】
2007054186.tif 000009